(57)【要約】      （修正有）【課題】椅子とスライドレール機構と、運動モジュールを添える複合型椅子の収納装置を提供する。【解決手段】第１のプーリー２２１及び第２のプーリー２３１が、スライドレール２４に嵌装されて直線的に移動するようにするとともに、第３のプーリー３１１の滑動によって補助すると同時に、圧力部材を併せて運動モジュール３の運動器具を回転作動させて、運動モジュール３を椅子１の収容空間内に収納され、且つ、展開して平伏した使用状態までに速やかに開放することができる。【選択図】図１
0003178095.tif 000002
【実用新案登録請求の範囲】
【請求項１】
複合型椅子の収納装置であって、
収容空間を有する椅子と、
主杆と、第１の横杆と、第２の横杆と、２本のスライドレールとを有し、且つ、前記第１の横杆及び前記第２の横杆はそれぞれ、前記主杆に対して垂直方向に穿設され、前記第１の横杆及び前記第２の横杆の両側にはそれぞれ、第１のプーリー及び第２のプーリーが取り付けられ、前記第１のプーリー及び前記第２のプーリーが、前記２本のスライドレールに嵌装されて直線的に移動するようにし、しかも前記椅子の前記収容空間に設けられるスライドレール機構と、
スリーブ杆と、運動器具と、２つの圧力部材とを有し、且つ、前記スライドレール機構の主杆に前記スリーブ杆が外嵌され、前記２つの圧力部材の両側はそれぞれ、前記スリーブ杆及び前記運動器具に枢設され、しかも前記収容空間の内部に向けて収納される又は前記収容空間の外部に向けて開放される運動モジュールと、
を備えることを特徴とする、複合型椅子の収納装置。
【請求項２】
前記運動モジュールの前記スリーブ杆には、さらに２つの第３のプーリーが取り付けられることを特徴とする、請求項１に記載の複合型椅子の収納装置。
【請求項３】
前記運動モジュールの前記運動器具には、さらに支持杆保持部が取り付けられることを特徴とする、請求項１に記載の複合型椅子の収納装置。
【請求項４】
前記運動モジュールの前記運動器具が、エアロバイク、ウエイトトレーニング機器の中の１種であることを特徴とする、請求項１に記載の複合型椅子の収納装置。
【請求項５】
前記２つの圧力部材が、液圧シリンダー、空気圧シリンダーの中の１種であることを特徴とする、請求項１に記載の複合型椅子の収納装置。
【考案の詳細な説明】
【技術分野】
【０００１】
本考案は、複合型椅子の収納装置に係り、特に、回転作動できる運動モジュールにより、椅子の収容空間内に収納されるものに関する。
【背景技術】
【０００２】
従来のマッサージチェアのような構造は、マッサージとレッグレスト収納の機能を強調するために、より複雑なリンケージ構造と付加的な動力補助を用いることによってレッグレスト収納の目的が達成される。
【０００３】
しかしながら、上述した従来のマッサージチェアの構造の欠点は以下の通りである。
１．単一のマッサージの機能性しか有しておらず、応用範囲が狭い、商品価値が低いという欠点があった。
２．動力源を付加的に供給する必要があり、省エネルギーと二酸化炭素削減の点で地球環境の保持に適していなかった。
【考案の概要】
【考案が解決しようとする課題】
【０００４】
上述した従来のマッサージチェアの構造では、人間のマッサージを模擬するようなマッサージとレッグレスト支持するために備える基本機能の要求に応えるけれども、使用時、部材の構造複雑及び付加的な動力の供給要求などの原因で、装置全体が使用上の環境保護性と耐久性を低下させるといった欠点と不充分が存在している。この場合では、複合型椅子の収納装置により生み出した具体的な産業効果をより広範な応用面によく発揮することができない。
【０００５】
本考案は、構造設計の簡単化と荷重耐力を同時に考慮して達成されたことを目的とするものでありながら、多様化した応用効果を提供することにより使用機能性と収納柔軟性を向上させることを目的とするものでもある。これにより、複合型椅子の収納装置の展開と閉合するための便利に折り畳んで格納する機能の要求と荷重状態下の強度基本忍耐能力が得られる他に、強化した構造設計や直感的な簡便な開閉操作する性能などのような具体的な要求及び商業利益を兼ね備えることを見出し、本考案を完成するに至った。
【課題を解決するための手段】
【０００６】
上記の目的及び機能を達成するため、椅子と、スライドレール機構と、運動モジュールと、を備える複合型椅子の収納装置を提案し、具体的に採用された技術手段及び方法は、
収容空間を有する椅子と、
主杆と、第１の横杆と、第２の横杆と、２本のスライドレールとを有し、且つ、上記第１の横杆及び第２の横杆はそれぞれ、主杆に対して垂直方向に穿設され、上記第１の横杆及び第２の横杆の両側にはそれぞれ、第１のプーリー及び第２のプーリーが取り付けられ、上記第１のプーリー及び第２のプーリーが、それらのスライドレールに嵌装されて直線的に移動するようにし、しかも上記椅子の収容空間に設けられるスライドレール機構と、
スリーブ杆と、運動器具と、２つの圧力部材とを有し、且つ、スライドレール機構の主杆に上記スリーブ杆が外嵌され、それらの圧力部材の両側はそれぞれ、スリーブ杆及び運動器具に枢設され、しかも上記収容空間の内部に向けて収納される又は上記収容空間の外部に向けて開放される運動モジュールと、を備えること。
【０００７】
上記運動モジュールのスリーブ杆には、さらに２つの第３のプーリーが取り付けられること。
【０００８】
上記運動モジュールの運動器具には、さらに支持杆保持部が取り付けられること。
【０００９】
上記運動モジュールの運動器具が、エアロバイク、ウエイトトレーニング機器の中の１種であってもよい。
【００１０】
上述した圧力部材が、液圧シリンダー、空気圧シリンダーの中の１種であってもよい。
【００１１】
本考案に係る複合型椅子の収納装置の利点及び特長は、下記の通りである。
１．構造が簡単で、組立部材が少ないので、容易に組み立てることができ、且つ、時間を節約することができる。
２．運動モジュールの開閉を補助する構造装置を有することで、具体的に操作円滑性を向上することができる。
３．多様化された運動機能に対応可能で、応用範囲を拡大することができ、商品価値を高めることができる。
４．動力源を付加的に供給する必要がないので、省エネルギーと二酸化炭素削減の点で地球環境の保持に適している効果がある。
５．直感的な簡便な展開と格納操作する性能を有するので、商業利益を高めることができる。
６．格納後には、椅子と一体化された外観構造になっているので、機能と美観を兼ね備えている。
【図面の簡単な説明】
【００１２】
【図１】本考案の一実施例の装置全体が開放状態で示す立体図である。
【図２】本考案の一実施例の装置全体が収納状態で示す立体図である。
【図３】本考案の一実施例の装置全体が開放状態で示す側面断面図である。
【図４】本考案の一実施例の装置全体が収納状態で示す側面断面図である。
【図５】本考案の一実施例の運動モジュールを展開して平伏した状態を示す図である。
【図６】本考案の一実施例の運動モジュールを折り畳んで閉合した状態を示す図である。
【考案を実施するための形態】
【００１３】
図１、図３に示すように、本考案に係る複合型椅子の収納装置は、椅子１と、スライドレール機構２と、運動モジュール３と、を備える。
そのうち、椅子１は、収容空間１１を有している。
スライドレール機構２は、上記椅子１の収容空間１１に設けられおり、主杆２１と、第１の横杆２２と、第２の横杆２３と、２本のスライドレール２４とを有し、且つ、上記第１の横杆２２及び第２の横杆２３はそれぞれ、主杆２１に対して垂直方向に穿設され、上記第１の横杆２２及び第２の横杆２３の両側にはそれぞれ、第１のプーリー２２１及び第２のプーリー２３１が取り付けられ、上記第１のプーリー２２１及び第２のプーリー２３１が、それらのスライドレール２４に嵌装されて直線的に移動するように構成している。
運動モジュール３は、上記収容空間１１の内部に向けて収納される又は上記収容空間１１の外部に向けて開放されるようにし、上記運動モジュール３は、スリーブ杆３１と、運動器具３２と、２つの圧力部材３３とを有し、且つ、スライドレール機構２の主杆２１に上記スリーブ杆３１が外嵌され、それらの圧力部材３３（図５参照）の両側はそれぞれ、スリーブ杆３１及び運動器具３２に枢設されている。
【００１４】
上述した運動モジュール３のスリーブ杆３１には、さらに２つの第３のプーリー３１１が取り付けられ、また、その運動器具３２には、さらに支持杆保持部３２１が取り付けられる、運動器具３２自身が、エアロバイク、ウエイトトレーニング機器の中の１種であってもよく、また、上記圧力部材３３が、液圧シリンダー、空気圧シリンダーの中の１種であってもよい。
【００１５】
図中、上記運動モジュール３は、椅子１の収容空間１１の外に位置しており、上記運動モジュール３は主に、第３のプーリー３１１及び支持杆保持部３２１を主要支持構造とし、そして第１のプーリー２２１と第２のプーリー２３１はそれぞれ、スライドレール２４に嵌装されて次の補助的な支持構造となり、その展開して平伏した状態の詳細は図５に示され、この時、圧力部材３３（液圧シリンダー或いは空気圧シリンダー）は、最大圧縮行程状態にいることによって、運動モジュール３に追加的に安定な作用力を供給することを可能とする。
【００１６】
図１、図３及び図６に示されるように、運動モジュール３の運動器具３２を使用する必要がない場合には、それを図２、図４に示すような状態までに収納する必要があるが、椅子１の収容空間１１（図１参照）に収納される前に、運動モジュール３を予め図６に示すような折り畳んで閉合した状態になるために回転させる。そして、折り畳んで閉合した状態になるように回転する時には、圧力部材３３とスリーブ杆３１との枢接箇所を回転軸とし、運動モジュール３を上向きに回転させ、且つ、角度を約９０度回転することから、運動モジュール３をスリーブ杆３１に密着させるようにすると共に、最低の高さを有している。この場合、支持杆保持部３２１が地面から離れることにより、第３のプーリー３１１のみ地面に接触しており、この時、圧力部材３３（液圧シリンダー或いは空気圧シリンダー）は、最大引き伸ばす行程状態にいることによって、運動モジュール３に追加的に安定な支持力を供給することを可能とする。
【００１７】
運動モジュール３を椅子１の収容空間１１に向けて移動するように押動し、第１のプーリー２２１及び第２のプーリー２３１はそれぞれ、スライドレール２４の間に嵌合されて摺動作動を行わせることによって、運動モジュール３を押動力の駆動により、第３のプーリー３１１の滑動補助を介して、完全に椅子１の収容空間１１内に入り込んで収納の目的が達成されるようにさせることができる。また、図２、図４に示すように、収納後の運動モジュール３が完全に椅子１の収容空間１１内に隠れて椅子１と一体化されたものになることによって、省スペースと美観を兼ね備えるようにする目的が達成される。
【００１８】
運動モジュール３の運動器具３２を再び使用する必要が生じた場合には、上記した手順と逆操作を行って、すなわち、先ず、図６に示すように、運動モジュール３を椅子１の収容空間１１から外向きに定位置までに引っ張る。次に、それを下向きに回転させ、且つ、角度を約９０度回転することから、第３のプーリー３１１及び支持杆保持部３２１はしっかりと地面に接触しているので、図５に示すように、再び使用するための開放作動が完了する。
【産業上の利用可能性】
【００１９】
以上、述べたとおり、本考案は、複合型椅子の収納装置の応用技術に関し、特に、椅子１と、スライドレール機構２と、運動モジュール３と、を備えることによって収納可能になるよう構成した複合型椅子装置を意味し、第１のプーリー２２１及び第２のプーリー２３１が、スライドレール２４に嵌装されて直線的に移動するようにするとともに、第３のプーリー３１１の滑動によって補助すると同時に、圧力部材３３を併せて運動モジュール３の運動器具３２を回転作動させて、運動モジュール３を椅子１の収容空間１１内に収納され、且つ、展開して平伏した使用状態までに速やかに開放することができるため、複合型椅子を有効的に収納及び開放するという機能の目的が達成される。
【符号の説明】
【００２０】
１  椅子
１１  収容空間
２  スライドレール機構
２１  主杆
２２  第１の横杆
２２１  第１のプーリー
２３  第２の横杆
２３１  第２のプーリー
２４  スライドレール
３  運動モジュール
３１  スリーブ杆
３１１  第３のプーリー
３２  運動器具
３２１  支持杆保持部
３３  圧力部材
【図１】
0003178095.tif 000003
【図２】
0003178095.tif 000004
【図３】
0003178095.tif 000005
【図４】
0003178095.tif 000006
【図５】
0003178095.tif 000007
【図６】
0003178095.tif 000008